(57)【要約】【課題】  スイッチ装置３自体にラッチ受け機能を持たせ、または、ラッチ受け部５を設けずに既存のラッチ受け２２をそのまま利用することが選択的に行え、その使用態様に応じてラッチ体２１の前・後端側に配設することができ、スイッチバー３２１の切り替え作動を、ラッチ体２１の側面が係脱する係脱面部３１ａを通過することに連動してスイッチ作動体３３を確実に動作させてスイッチバー３２１の切り替え作動を行なうことのできるスイッチ機能を持たせる。【解決手段】    ラッチ体２１の側面が施解錠操作によって係脱する係脱面部３１ａを有したケース体３１内に内装された、送信ユニット３２のスイッチバー３２１を、ラッチ体２１の施解錠操作に連動してスイッチ作動体３３により切り替え作動させて、信号を表示手段４に送信し、かつ、ラッチ受け部５を係脱面部３１ａに形成可能に構成する。【選択図】        図５
2018131781.tif 000002
【特許請求の範囲】
【請求項１】
トイレブースなどの複数の個室を有する共有スペースの各室内側に設けられた錠装置の施解錠操作に応じて、その使用状況を施錠状態と解錠状態とによって、室外側の所定個所に設けられる表示手段を介して表示切り替えする施解錠表示用のスイッチ装置であって、
前記錠装置は、施解錠操作によりスライド出没可能なラッチ体を有する錠本体と、前記ラッチ体の先端側が係脱されるラッチ受けとを備え、
前記スイッチ装置は、スイッチバーの切り替えにより信号を送信する送信ユニットと、前記スイッチバーを切り替え作動するスイッチ作動体とが内装され、かつ、前記ラッチ体の側面が施解錠操作によって係脱する係脱面部を有したケース体により形成せしめ、
前記スイッチ作動体は、前記スイッチバーを、前記ラッチ体の側面が前記係脱面部に対して係脱される錠操作に連動して切り替え作動するよう構成せしめる一方、
前記係脱面部は、ラッチ受け部を形成可能に構成すると共に、
前記スイッチ装置を、前記ラッチ体の側面が、施解錠操作によって前記係脱面部に係合した状態と、前記係脱面部から離脱した状態との状態変化に応じて、前記スイッチバーを切り替え作動せしめて、前記送信ユニットによる切り替え信号を前記表示手段に送信するスイッチ機能と、前記錠装置のラッチ受けに換えて使用可能なラッチ受け機能を備えて構成したことを特徴とする施解錠表示用スイッチ装置。
【請求項２】
請求項１において、前記スイッチ作動体は、前記係脱面部を介して前記ラッチ体の側面と摺接するラッチ摺接部と、前記スイッチバーを切り替え作動するスイッチバー作動部とで構成されていることを特徴とする施解錠表示用スイッチ装置。
【請求項３】
請求項２において、前記スイッチ作動体は、前記ラッチ摺接部を前記係脱面部の先端側に配設せしめて、前記ラッチ体の端部が摺接通過した半係合状態で、前記離脱状態にある前記スイッチバーを係合状態に切り替え作動するよう構成されていることを特徴とする施解錠表示用スイッチ装置。
【請求項４】
請求項２または３において、前記ラッチ摺接部は、前記スイッチバーの上下側端側に対向して配置されていることを特徴とする施解錠表示用スイッチ装置。
【請求項５】
請求項２乃至４の何れかにおいて、前記スイッチ作動体は、前記ラッチ摺接部を、スイッチバー作動部の先端側に円弧状に一体形成せしめると共に、前記スイッチバー作動部を、当該ラッチ摺接部が前記係脱面部から常時突出するよう付勢せしめて、前記スイッチバーがラッチ体の離脱状態側にセットされるよう軸支し、前記ラッチ体の側面が当該ラッチ摺接部を押圧通過する係合操作で没入させて、前記スイッチバーを切り替え作動すべく構成されていることを特徴とする施解錠表示用スイッチ装置。
【請求項６】
請求項１乃至５の何れかにおいて、前記スイッチ装置は、前記ラッチ受け部が設けられた際に、前記ラッチ体の先端側に配設して前記錠装置のラッチ受けとして機能せしめる一方、既存のラッチ受けを備えた前記錠装置に使用する際に、前記ラッチ受け部を設けない状態で、前記ラッチ体の後端側に、その側面が施解錠操作によって前記係脱面部に係脱するよう配設可能に構成してあることを特徴とする施解錠表示用スイッチ装置。
【請求項７】
請求項１乃至６の何れかにおいて、前記送信ユニットは、前記スイッチバーの切り替え作動によって、電磁誘導にて自己発電する無線送信ユニットであることを特徴とする施解錠表示用スイッチ装置。
【発明の詳細な説明】
【技術分野】
【０００１】
本発明は、商業施設、公共施設、医療施設などの共用トイレのドアなどに設けられ、各個室毎にその使用状況を、室外側の所定個所に設けられた表示手段に表示する施解錠表示用スイッチ装置に関する。
【背景技術】
【０００２】
一般に、共用トイレ等の各個室のドアには、その略腰高さ位置に使用中か否かを視認できるように、室内側における錠装置（スライドラッチ錠、打掛け錠など）の施錠・解錠状態を室外側で赤色系や青色系により色分け表示する施解錠表示装置が設けられているが、この様なドア施解錠表示装置は、ドアの近くに行かなければ視認することができないため、全体の使用状況を知ることができない。特に、商業施設、公共施設、医療施設などの共用トイレは、建物の各階毎にトイレスペースが設置され、そのトイレブースも施設の規模に応じてトイレ個数等を含め多様に配置されていることから、これらトイレスペース内の混雑状況を表示するディスプレイなどの集中表示手段を、その入口近傍に設けて各トイレスペース内における使用状況を知らしめるようにしたものが知られている（例えば、特許文献１、２参照）。
【０００３】
つまり、特許文献１のものは、各トイレのドア毎に取り付けられ、ドアの開閉、或いはドアの施錠または解錠によってオン／オフ動作するドア錠スイッチ（２）と、小便器（３）に取り付けられた人体感知センサー（４）とによって構成される人体検出手段を、各個毎の所定個所に複数設置し、各トイレの使用状況データを集計して混み具合を割り出し集計してトイレの混み具合を点灯切り替えして表示するようにしたものであり、また、特許文献２のものは、各トイレ個室毎にその外壁側でトイレドア（３２）のドア錠（３２ｂ）近傍と、トイレドア（３２）と共に移動するドア変位検知磁石片（４２）とで構成されるドア開閉センサー（Ｓ）を設けて、その使用状況をアイコンなどにより点灯切り替えして表示するようにしたものである。
しかしながら、これらのものは、何れも大規模施設を想定して、その建物トイレスペースの入口近傍に大型ディスプレイ表示装置を配設して、各個の使用状況を知らしめるようにしたものであり、入口に立った状態で各個のトイレを見渡せる小規模施設においては、各個トイレ毎にその使用状況を認識できるようにした方が解りやすく、ディスプレイ表示装置の配設は不要であり、かえって過剰品質となってしまうという問題がある。
【０００４】
また、トイレドアは、常時開戸状態に保持されるものや、常時閉戸状態に保持されるもの、内開き式や外開き式のものなど種々の開閉ドアの開閉方式が存在するため、ドアの開閉を検知するドア錠スイッチ（２）やドア開閉センサー（Ｓ）によっては、正しい使用状況を認識することができず誤作動を誘発したり、また、特許文献１には、ドア錠スイッチ２がドアの施錠または解錠によってオン／オフ動作するとの開示があるものの、その施解錠状態をどの様に認識するかなど具体的な開示が全くなされていないばかりか、何れも別途検知装置を個別に設けなければならず、コスト高の要因となるだけでなく、使用状況を正確に認識することができず誤表示する危惧があり、確実性に欠けるという問題点を有するものであった。
【０００５】
一方、特許文献３のもののように、シャッターガイドレール付きの防火戸（１２）おけるストライクボックス内のラッチ受け部（３１）に、閉鎖確認用スイッチ（３１ａ）を設けて防火戸（１２）が全閉状態となった時に、常時突出状態に付勢されたドア用ラッチ（１２４）が自動没入することで、その先端でスイッチ（３１ａ）を押圧してシャッター閉鎖信号を出力し、開戸状態でスイッチ（３１ａ）が弾性復帰するようにしたものが知られている。
しかしながら、トイレなどの錠装置は、ラッチ体を手動によりスライド操作するため、かかる弾性復帰式のスイッチ（３１ａ）を採用すると、ラッチ体が弾発力で後退移動してしまい、施錠状態の正確な動作が行なわれず、使用状況を正確に認識することができないという欠点があり、そのまま採用することはできないものであった。
【先行技術文献】
【特許文献】
【０００６】
【特許文献１】特開平６-３３３１７４号公報
【特許文献２】特開２０１４−４４４７４号公報
【特許文献３】特開２０１１−１１１７１７号公報
【発明の開示】
【発明が解決しようとする課題】
【０００７】
本発明は、上記の如き問題点を一掃すべく創案されたものであって、共用施設のトイレなどの各個室毎に、その使用状況を、室外側の所定個所に設けられた表示手段の表示を点灯切り替えできるようにしたものでありながら、スイッチ装置自体の係脱面部にラッチ受け機能を持たせることができるだけでなく、送信ユニットのスイッチバーを切り替え作動するスイッチ作動体を、利用者が実際に手動にてスライド移動させて施解錠操作されるラッチ体が、必ず係脱する係脱面部を通過することに連動して切り替え作動が行われるようにして、スイッチバーの切り替え作動を確実に行なうことができ、共用トイレが、その施設の規模に応じてディスプレイ表示装置や、各個トイレ毎に設けられた表示装置等の表示手段の設置形態や、ドアの開閉方式の違い等に何ら影響を受けることなく、使用状況の切り替え信号を送信ユニットを介して正確に表示手段に送信することのできる施解錠表示用スイッチ装置を提供することを目的とする。
【課題を解決するための手段】
【０００８】
上記課題を解決するために本発明の施解錠表示用スイッチ装置は、トイレブースなどの複数の個室を有する共有スペースの各室内側に設けられた錠装置の施解錠操作に応じて、その使用状況を施錠状態と解錠状態とによって、室外側の所定個所に設けられる表示手段を介して表示切り替えする施解錠表示用のスイッチ装置であって、前記錠装置は、施解錠操作によりスライド出没可能なラッチ体を有する錠本体と、前記ラッチ体の先端側が係脱されるラッチ受けとを備え、前記スイッチ装置は、スイッチバーの切り替えにより信号を送信する送信ユニットと、前記スイッチバーを切り替え作動するスイッチ作動体とが内装され、かつ、前記ラッチ体の側面が施解錠操作によって係脱する係脱面部を有したケース体により形成せしめ、前記スイッチ作動体は、前記スイッチバーを、前記ラッチ体の側面が前記係脱面部に対して係脱される錠操作に連動して切り替え作動するよう構成せしめる一方、前記係脱面部は、ラッチ受け部を形成可能に構成すると共に、前記スイッチ装置を、前記ラッチ体の側面が、施解錠操作によって前記係脱面部に係合した状態と、前記係脱面部から離脱した状態との状態変化に応じて、前記スイッチバーを切り替え作動せしめて、前記送信ユニットによる使用状況の切り替え信号を前記表示手段に送信するスイッチ機能と、前記錠装置のラッチ受けに換えて使用可能なラッチ受け機能とを備えて構成したことを特徴とするものである。
【発明の効果】
【０００９】
本発明は、上記のように構成したことにより、共用施設のトイレなどの各個室毎に、その使用状況を、室外側の所定個所に設けられた表示手段によって切り替え表示できるようにしたものでありながら、係脱面部にラッチ受け部を形成するか否かを選択的に行うことができので、ラッチ受け部を設けた場合には、スイッチ装置自体に既存のラッチ受けとしての機能を持たせることができるたけでなく、ラッチ受け部を設けずに既存のラッチ受けをそのまま利用したい場合には、ラッチ体の後端側に配設して、施解錠表示のスイッチ設定を変更して使用するすることができ、既設のトイレの錠装置を何ら変更することなく容易に採用することができる。しかも、スイッチバーの切り替え作動は、利用者が手動にてスライド移動させて施解錠操作されるラッチ体の側面を利用して、当該ラッチ体の側面が必ず係脱する係脱面部３１ａを通過することに連動してスイッチ作動体の動作が行われるので、スイッチ作動体によるスイッチバーの切り替え作動を確実に行うことができ、スイッチ装置に既存のラッチ受けの機能を持たせて採用した際には、ラッチ体の側面が、係脱面部に対して、離脱した解錠状態ではスイッチバー３２１を常時空きの表示を行うようにセットさせておき、この空き表示を行う解錠状態側にセットされたスイッチバーを、重合係止する施錠操作に連動して、使用中の表示を行う施錠状態側に切り替えセットし、既存のラッチ受けをそのまま採用した際には、当該スイッチバーを逆にセットすることができるスイッチ機能を構築することができると共に、共用トイレが、その施設の規模に応じてディスプレイ表示装置や、各個トイレ毎に設けられた表示装置等の表示手段の設置形態や、ドアの開閉方式の違い等に何ら影響を受けることなく、使用状況の切り替え信号を送信ユニットを介して正確に表示手段に送信することが可能となり、誤表示の防止を図ることができる。
【図面の簡単な説明】
【００１０】
【図１】本発明の実施形態にかかる施解錠表示用スイッチ装置が使用されるトイレブースの平面図である。
【図２】本発明の実施形態にかかる施解錠表示用スイッチ装置を示し、（Ａ）は平面図、（Ｂ）は正面図、（Ｃ）は側面図である。
【図３】施解錠表示用スイッチ装置の斜視図である。
【図４】スイッチ作動体の斜視図である。
【図５】施解錠表示用スイッチ装置のＡ−Ａ断面図であり、（Ａ）はラッチ体が離脱した状態のスイッチ作動体の状態図、（Ｂ）はラッチ体が係合した状態のスイッチ作動体の状態図である。
【図６】本発明の施解錠表示用スイッチ装置を取付けした実施態様にかかる平面図であり、（Ａ）は凹状のラッチ体が用いられた使用状態を示す説明図、（Ｂ）は棒状のラッチ体が用いられた使用状態を示す説明図、（Ｃ）は既存のラッチ受けと共に用いた使用状態を示す説明図である。
【発明を実施するための最良の形態】
【００１１】
以下、本発明の実施の形態を好適な実施の形態として例示する施解錠表示用スイッチ装置を図面に基づいて詳細に説明する。図１は、施解錠表示用スイッチ装置が使用されるトイレブースの平面図、図２（Ａ）は施解錠表示用スイッチ装置の平面図、（Ｂ）は正面図、（Ｃ）は側面図、図３は斜視図、図４はスイッチ作動体の斜視図、図５（Ａ）はラッチ体が離脱した状態の断面図、（Ｂ）はラッチ体が係合した状態の断面図である。
これらの図に示されるように、１はトイレブースであって、該トイレブース１は、商業施設、公共施設、医療施設などの建物トイレスペース内に、その一角となる壁面コーナー部などに、仕切りパネル１１とドア１２とを組とし、所定の単位トイレユニット（個室）数に区画して連設設置される。ドア１２には、錠装置２（スライドラッチ錠）が設けられ、該錠装置２は、ドア１２の室内側面に左右方向スライド自在に支持されるラッチ体２１と、仕切りパネル１１側に設けられてたラッチ受け２２とを備え、ラッチ体２１のラッチ受け２２に対する係脱操作により、ドア１２の施錠、解錠が行われるようになっている。
【００１２】
ドア１２の室外側面には、図示しないラッチ体２１の内部に設けられた直線状のラック歯にピニオン歯車を介して噛合し、ラッチ体２１のスライド操作に応じて、施・解錠状態を回転板により青色と赤色の切り替え表示する表示窓を備えた引き手２３が設けられている。図中、５は仕切りパネル１１の上部側に設けられた表示手段であり、該表示手段４は、ラッチ錠の施錠・解錠操作に応じて、赤系色と青系色に切り替え表示する電源接続されるＬＥＤ光源が内蔵されており、施錠状態では赤系色に、解錠状態では青系色に切り替え点灯されるようになっている。
【００１３】
３は本発明の実施形態にかかる施解錠表示用スイッチ装置であって、該スイッチ装置３は、内部に、スイッチバー３２１の切り替えにより信号を送信する送信ユニット３２が収容されたユニット収容部３１ｂと、スイッチバー３２１を切り替え作動するスイッチ作動体３３が収容され、かつ、ラッチ体２１の側面（裏面）が施解錠操作によって係脱する係脱面部３１ａを有したケース体３１にて、平面視段差状に形成されている。
また、ケース体３１には、係脱面部３１ａの先端側中央に、後述するラッチ受け部５が取り付けできるように受け用長孔３１１が、ユニット収容部３１ｂの後端側に取り付け用のビス孔３１２がそれぞれ穿設されており、ラッチ受け部５を設けることで、錠装置２のラッチ受け２２として機能できるようになっている。
【００１４】
スイッチ作動体３３は、係脱面部３１ａを介してラッチ体２１の側面と摺接するラッチ摺接部３３１と、スイッチバー３２１を切り替え作動するためのスイッチバー作動部３３２とを有する板状（棒状）部材にて一体形成されている。スイッチバー作動部３３２は、コ字状部とその中心外方に延出された軸状部とで、形成されており、軸状の後端部には、平面視略三角状でスイッチバー３２１の先端を挿入するためのスリット状に開口した挿入口を有する挿入溝３３３が設けられており、スイッチバー３２１が挿入されて切り替え作動した際に、その先端が挿入口を支点として上下移動可能な空間溝に形成されている。
【００１５】
ラッチ摺接部３３１は、スイッチバー作動部３３２のコ字状の先端部側に、上下一対のものとして円弧状にて形成され対向配置され、スイッチバー作動部３３２を、係脱面部３１ａの受け用長孔３１１を挟んで上下に開口された開口孔３１３、３１３から常時突出するようバネ３４により付勢された状態で軸支されている。また、円弧状の先端側は、ラッチ体２１の係合始動時に、その先端で円弧面を押し下げて摺接没入による作動がし易いようにスロープ状に形成されている。これにより、施解錠操作されたラッチ体２１の側面が当該ラッチ摺接部３３１、３３１上を通過することにより、その係脱操作に連動して、係合時にラッチ摺接部３３１が押圧されてケース体３１内に没入され、離脱時に突出復帰してスイッチバー３２１が切り替え作動される。
殊に、ラッチ摺接部３３１は、係脱面部３１ａの先端側に配設されており、ラッチ体２１が施錠（係合）操作された際に、スライド移動が完了しない状態であっても、ラッチ体２１の先端部が摺接通過して、半施錠（係合）状態であっても解錠（離脱）状態にセットされたスイッチバー３２１を施錠（係合）状態に切り替え作動できるようになっている。
【００１６】
なお、スイッチ作動体３３を板状（棒状）部材にて一体形成したが、これに限定されることなく、例えば、ラッチ摺接部３３１をローラー部材にて形成し、スイッチバー作動部３３２を、伝達ローラーや伝達バーなどの別部材のものを用いて、スイッチバー３２１が常時解錠状態側にセットされるよう当該ラッチ摺接部３３１の回動に連動連結せしめて、ラッチ体２１の側面が当該ラッチ摺接部３３１を圧接通過することで回動させて、スイッチバー３２１を切り替え作動すべく構成させても良く、要は、ラッチ体２１の側面がラッチ摺接部３３１に摺接（接触）して通過することに連動して、スイッチ作動体３３がスイッチバー３２１を切り替え作動できる構成のものであれば良い。また、ラッチ摺接部３３１を、常時突出させておくのではなく、没入状態としてラッチ体２１が通過することに連動して突出するよう作動させても良く、また、中央に配設しても良いことは勿論である。
【００１７】
送信ユニット３２は、スイッチバー３２１の切り替え作動によって、電磁誘導にて自己発電する無線送信ユニット（送信機と発電素子）を備えた電池不要な器機を採用し、スイッチバー３２１を上下に切り替えることによりコイル内の磁束の向きが変化してコイルに起電力が発生して、表示手段４に使用状況の表示切り替え信号を送信するようになっている。
つまり、本実施形態における送信ユニット３２は、ラッチ体２１が、ラッチ摺接部３３１から離脱（解離）してスイッチバー３２１が下動した状態において、ラッチ受け部５が設けられてラッチ体２１の先端側に配設して錠装置２のラッチ受け２２として使用する場合には、解錠状態（空き状態）の信号を発信するように設定し、ラッチ受け部５を設けない状態でラッチ体２１の後端側に配設して使用する場合には、施錠状態（使用中）の信号を発信するように設定して使用できるようになっている。
【００１８】
さて、上記のように構成したスイッチ装置３を用いて、錠装置２に採用した状態について、図６を参照して詳細に説明する。図６は（Ａ）（Ｂ）はラッチ受け部５が用いられた使用状態を示す平面図、（Ｃ）は既存のラッチ受け２２と共に用いた状態を示す平面図である。ラッチ体２１は、断面略凹状のものや棒状のものがあり、ラッチ体２１が断面略凹状のものである場合には、ラッチ受け部５として、図６（Ａ）に示すようにラッチ体２１の凹状内部に呑み込み係合される駒状ラッチ受け部５１が採用される。本実施形態に示す駒状ラッチ受け部５１は、ラッチ体２１凹状内部に呑み込み係合されるドーナツ状の駒部と脚部とからなり、中心にビス挿通孔を有したものを用い、受け用長孔３１１にビス固定されて係脱面部３１ａに設けられる。また、ラッチ体２１が棒状のものである場合には、ラッチ受け部５として、図６（Ｂ）に示すようにラッチ体２１の先端部が挿入係合されるコ字状ラッチ受け部５２を用い、係脱面部３１ａにビス固定して設けられる。図６（Ｃ）に示す既存のラッチ受け２２もラッチ体２１の先端部が挿入係合される筒状（コ字状）タイプのものである。
【００１９】
つまり、本発明の実施形態にかかるスイッチ装置３は、係脱面部３１ａにラッチ受け部５が設けられた場合には、錠装置２のラッチ受け２２として機能することができ、既存のラッチ受け２２と共に用いる場合には、ラッチ体２１の後端側に、その側面が施解錠操作によって係脱面部３１ａに係脱して、ラッチ摺接部３３１を通過可能に配設させて使用できるようになっている。そのため、ラッチ体２１の側面を利用してスイッチ作動体３３によるスイッチバー３２１の切り替えが行えるので、ケース体３１の形状やラッチ摺接部３３１の形状変更などが容易となり、デザインや設計の自由度を向上することができ、ラッチ摺接部３３１を、ラッチ体２１の側面が裏面だけでなく、前面、上下面が４側面の何れかの面と摺接（接触）して通過できるように配設し、使用されるラッチ体２１の種類や使用状況に応じて、所望の取り付け位置への配設使用が可能となる。
【００２０】
叙述の如く構成された本発明の実施の形態において、共用トイレなどの複数の個室を有する共有スペースの各室内側に設けられた錠装置２のラッチ体２１の施解錠操作に応じて、その使用状況を、施解錠表示用のスイッチ装置３を介して室外側の所定個所に設けられた表示手段４で表示するのであるが、本発明における施解錠表示用スイッチ装置３は、スイッチバー３２１の切り替え作動により信号を送信する送信ユニット３２と、スイッチバー３２１を切り替え作動するスイッチ作動体３３とが内装され、かつ、ラッチ体２１の側面が施解錠操作によって係脱する係脱面部３１ａを有したケース体３１により形成せしめ、スイッチ作動体３３は、スイッチバー３２１を、ラッチ体２１の側面が係脱面部３１ａに対して係脱される錠操作に連動して切り替え作動するよう構成せしめる一方、係脱面部３１ａは、ラッチ受け部５を形成可能に構成すると共に、スイッチ装置３を、ラッチ体２１の側面が、施解錠操作によって係脱面部３１ａに係合した状態と、係脱面部３１ａから離脱した状態との状態変化に応じて、スイッチバー３２１を切り替え作動せしめて、送信ユニット３２による使用状況の切り替え信号を表示手段４に送信するスイッチ機能と、錠装置２の既存のラッチ受け２２に換えて使用可能なラッチ受け機能を備えて構成してある。
【００２１】
この様に構成すると、共用施設のトイレなどの各個室毎に、その使用状況を、室外側の所定個所に設けられた表示手段４によって切り替え表示できるようにしたものでありながら、係脱面部３１ａにラッチ受け部５を形成するか否かを選択的に行うことができので、ラッチ受け部５を設けた場合には、スイッチ装置３自体に既存のラッチ受け２２としての機能を持たせることができるたけでなく、ラッチ受け部５を設けずに既存のラッチ受け２２をそのまま利用したい場合には、ラッチ体２１の後端側に配設して、施解錠表示のスイッチ設定を変更して使用するすることができ、既設のトイレの錠装置を何ら変更することなく容易に採用することができる。しかも、スイッチバー３２１の切り替え作動は、利用者が手動にてスライド移動させて施解錠操作されるラッチ体２１の側面を利用して、当該ラッチ体２１の側面が必ず係脱する係脱面部３１ａを通過することに連動してスイッチ作動体３３の動作が行われるので、スイッチ作動体３３によるスイッチバー３２１の切り替え作動を確実に行うことができ、スイッチ装置３に既存のラッチ受け２２の機能を持たせて採用した際に、ラッチ体２１の側面が、係脱面部３１ａに対して、離脱した解錠状態ではスイッチバー３２１を常時空きの表示を行うようにセットさせておき、この空き表示を行う解錠状態側にセットされたスイッチバー３２１を、重合係止する施錠操作に連動して、使用中の表示を行う施錠状態側に切り替えセット、既存のラッチ受け２２をそのまま採用した際には、当該スイッチバー３２１を逆にセットすることができるスイッチ機能を構築することができると共に、共用トイレが、その施設の規模に応じてディスプレイ表示装置や、各個トイレ毎に設けられた表示装置等の表示手段４の設置形態や、ドアの開閉方式の違い等に何ら影響を受けることなく、使用状況の切り替え信号を送信ユニット３２を介して正確に表示手段４に送信することが可能となり、誤表示の防止を図ることができる。
【００２２】
また、スイッチ作動体３３は、係脱面部３１ａを介してラッチ体２１の側面と摺接するラッチ摺接部３３１と、スイッチバー３２１を切り替え作動するスイッチバー作動部３３２とで構成されているので、ラッチ体２１の側面が、係脱面部３１ａに係合操作された際に、ラッチ摺接部３３１と確実な摺接係合が行われ、スイッチバー作動部３３２によるスイッチバー３２１の切り替え作動を行うことができるだけでなく、ラッチ摺接部３３１とスイッチバー作動部３３２とを板状（棒状）部材にて一体形成した態様や、ラッチ摺接部３３１をローラー部材にて形成し、スイッチバー作動部３３２を、伝達ローラーや伝達バーなどの別部材のものを用いて形成した態様など種々に変更させて製作することができる。
【００２３】
また、スイッチ作動体３３は、ラッチ摺接部３３１を係脱面部３１ａの先端側に配設せしめて、ラッチ体２１の端部が摺接通過した半係合状態で、離脱状態にあるスイッチバー３２１を係合状態に切り替え作動するよう構成されているので、例えば、スイッチ装置３にラッチ受け機能を持たせて使用する場合には、施錠操作した際に、スライド移動が完了しない半施錠（係合）状態であっても、解錠（離脱）状態にセットされたスイッチバー３２１を施錠（係合）状態に切り替え作動させることができ、誤作動を未然に防止することができる。
【００２４】
また、ラッチ摺接部３３１は、スイッチバー３２１の上下側端側に対向して配置されているので、ラッチ体２１が凹状タイプのものが用いられた際には、凹状内部に呑み込み係合される駒状ラッチ受け部５１を、中央に開口された受け用長孔３１１にビス固定する固定領域を形成することができると共に、凹状の両脚側面（裏面）によりラッチ摺接部３３１を摺接通過させることができる。
【００２５】
また、スイッチ作動体３３は、ラッチ摺接部３３１を、スイッチバー作動部３３２の先端側に円弧状に一体形成せしめると共に、スイッチバー作動部３３２を、当該ラッチ摺接部３３１が係脱面部３１ａから常時突出するよう付勢せしめて、スイッチバー３２１がラッチ体２１の離脱状態側にセットされるよう軸支し、ラッチ体２１の側面が当該ラッチ摺接部３３１を押圧通過する係合操作で没入させて、スイッチバー３２１を切り替え作動すべく構成されている。
この様に構成すると、ラッチ体２１の係脱面部３１ａへの係合始動時に、その先端がスロープ状の円弧面を押し下げて、突出したラッチ摺接部３３１をケース体３１の内部側に容易に摺接没入させることができ、スイッチバー作動部３３２によるスイッチバー３２１の切り替え作動を確実に行うことができる。
【００２６】
また、スイッチ装置３は、ラッチ受け部５１が設けられた際に、ラッチ体２１の先端側に配設して錠装置のラッチ受け２２として機能せしめる一方、既存のラッチ受け２２を備えた錠装置２に使用する際に、ラッチ受け部５を設けない状態で、ラッチ体２１の後端側に、その側面が施解錠操作によって係脱面部３１ａに係脱するよう配設可能に構成してある。そのため、ラッチ体２１の側面を利用してスイッチ作動体３３によるスイッチバー３２１の切り替えを行うことができ、ケース体３１の形状やラッチ摺接部３３１の形状変更などが容易となり、デザインや設計の自由度を向上することができ、ラッチ摺接部３３１を、ラッチ体２１の側面が裏面だけでなく、前面、上下面が４側面の何れかの面と摺接（接触）して通過できるように配設し、使用されるラッチ体２１の種類や使用状況に応じて、所望の取り付け位置への配設使用が可能となる。
【００２７】
また、送信ユニット３２は、スイッチバー３２１の切り替え作動によって、電磁誘導にて自己発電する無線送信ユニットを採用してあるため、スイッチバー３２１を上下に切り替えることによりコイル内の磁束の向きが変化してコイルに起電力が発生して、表示手段４に使用状況の表示切り替え信号を送信することができ、有線接続による配線工事の必要が無く、ラッチ体２１の側面が、ラッチ摺接部３３１に係脱される個所であれば、使用されるラッチ体２１の種類や使用状況に応じて、４側面の何れかに対してラッチ摺接部３３１を摺接可能な所望の取り付け位置への配設使用ができ、スイッチ装置３をラッチ体２１のスライド（横）方向に並設して設けるだけでなく、たとえば、ラッチ摺接部３３１がラッチ体２１のスライド方向に向けて設けられていれば、ラッチ体２１の上下（縦）方向に向けて配設することもできる。
【符号の説明】
【００２８】
１      トイレブース
１１    仕切りパネル
１２    ドア
２      錠装置
２１    ラッチ体
２２    ラッチ受け
２３    引き手
３      施解錠表示用スイッチ装置
３１    ケース体
３１ａ  係脱面部
３１ｂ  ユニット収容部
３１１  受け用長孔
３１２  ビス孔
３１３  開口孔
３２    送信ユニット
３２１  スイッチバー
３３    スイッチ作動体
３３１  ラッチ摺接部
３３２  スイッチバー作動部
３３３  挿入溝
３４    バネ
４      表示手段
５      ラッチ受け部
５１    駒状ラッチ受け部
５２    コ字（筒）状ラッチ受け部
【図１】
2018131781.tif 000003
【図２】
2018131781.tif 000004
【図３】
2018131781.tif 000005
【図４】
2018131781.tif 000006
【図５】
2018131781.tif 000007
【図６】
2018131781.tif 000008